【事件の表示】
　特願２０１３−５４４５５２「複数のアプリケーション又はプロセスに渡るアニメーション調整」拒絶査定不服審判事件〔平成２４年　６月２１日国際公開、ＷＯ２０１２／０８２４５８、平成２６年　３月２７日国内公表、特表２０１４−５０７６９８、請求項の数（２６）〕について、次のとおり審決する。
【結　論】
　原査定を取り消す。
　本願の発明は、特許すべきものとする。
【理　由】
第１　経緯
　本願は、２０１１年１２月６日（パリ条約による優先権主張外国庁受理２０１０年１２月１３日、米国）を国際出願日とする出願であって、平成２７年９月２８日付けの拒絶理由の通知に対し、平成２７年１２月１７日付けで手続補正がなされたが、平成２８年４月１８日付けで拒絶査定がなされた。
　本件は、平成２８年８月２日付けで請求された拒絶査定不服審判であって、請求と同時に手続補正がなされたものである。
第２　原査定の概要
　原査定（平成２８年４月１８日付け拒絶査定）の概要は次のとおりである。
　本願請求項１−２６に係る発明は、引用文献１−２に記載された発明及び引用文献３−８に記載された周知技術に基づいて、その発明の属する技術の分野における通常の知識を有する者（以下、「当業者」という。）が容易に発明できたものであるから、特許法第２９条第２項の規定により特許を受けることができない。
引用文献等一覧
１.特開２００５−１３５１０６号公報
２.ＤＥＳＩＧＮＳＣＯＰＥ！，「ＦＬＡＳＨ　ＷＥＢ　ＤＥＳＩＧＮ　ＢＯＯＫ　ｖｅｒ．５Ｊ」，株式会社翔泳社，２００１年　１月２０日，初版，ｐ．２１
３.特開２００９−１６３５１０号公報
４.特開２００７−２８０１７５号公報
５.特開２００９−２２３５３１号公報
６.国際公開第２００８／０４１３５７号
７.国際公開第２００９／１４９９２５号
８.特開２００３−１６２５３２号公報
（なお、請求項９，２３には「前記開始アプリケーションからの情報と前記行先アプリケーションからの情報を前記前記アニメーション識別子と関連付けて保存するステップと、」との記載があるが、誤記であると考えられる点に留意されたい。
　また、請求項２３には「前記コンピュータ実行可能な命令は、…ステップと、を更に含む請求項１９〜２２のいずれか一項に記載のコンピューティングデバイス。」との記載があるが、「命令」が「ステップ」を含むという表現は不明確であると考えられる点に留意されたい。）
第３　審判請求時の補正について
１．補正の内容
　審判請求時の補正は、平成２７年１２月１７日付け手続補正書の特許請求の範囲の請求項９、２３に記載された、
「【請求項９】
　前記移行アニメーションに関連するアニメーション識別子を生成するステップと、
　前記開始アプリケーションと前記行先アプリケーションに対し前記アニメーション識別子を発行するステップと、
　前記開始アプリケーションからの情報と前記行先アプリケーションからの情報を
前記前記
　を更に含む請求項５〜８のいずれか一項に記載の方法。」
「【請求項２３】
　前記コンピュータ実行可能な命令は、
　　前記移行アニメーションに関連するアニメーション識別子を生成するステップと、
　　前記開始アプリケーションと前記行先アプリケーションに対し前記アニメーション識別子を発行するステップと、
　　前記開始アプリケーションからの情報と前記行先アプリケーションからの情報を
前記前記
　を更に
含む
という発明を、平成２８年８月２日付け手続補正書の特許請求の範囲の請求項９、２３に記載された、
「【請求項９】
　前記移行アニメーションに関連するアニメーション識別子を生成するステップと、
　前記開始アプリケーションと前記行先アプリケーションに対し前記アニメーション識別子を発行するステップと、
　前記開始アプリケーションからの情報と前記行先アプリケーションからの情報を
前記
　を更に含む請求項５〜８のいずれか一項に記載の方法。」
「【請求項２３】
　前記コンピュータ実行可能な命令は、
　　前記移行アニメーションに関連するアニメーション識別子を生成するステップと、
　　前記開始アプリケーションと前記行先アプリケーションに対し前記アニメーション識別子を発行するステップと、
　　前記開始アプリケーションからの情報と前記行先アプリケーションからの情報を
前記
　を更に
実行する
という発明に補正するものである。
　なお、下線は、当審で付したものである。
２．補正の適法性について
（１）新規事項の追加および発明の特別な技術的特徴の変更について
　請求項９、２３の補正は、新規事項を追加する補正でなく、発明の特別な技術的特徴を変更する補正でない。
（２）補正の目的について
（２−１）請求項９について
　補正前の「前記前記」という記載は、明らかな誤記であり、「前記前記」を「前記」に補正することは、特許法第１７条の２第５項第３号の誤記の訂正を目的とするものである。
（２−２）請求項２３について
　補正前の「前記前記」という記載は、明らかな誤記であり、「前記前記」を「前記」に補正することは、特許法第１７条の２第５項第３号の誤記の訂正を目的とするものである。
　また、補正前の「前記コンピュータ実行可能な命令は、…ステップと、を更に含む」という記載では、「命令は、」「ステップ」を「含む」という明瞭でない記載となっており、「前記コンピュータ実行可能な命令は、…ステップと、を更に実行する」と補正することにより、当該記載が明瞭になったので、「更に含む」を「更に実行する」に補正することは、特許法第１７条の２第５項第４号の明瞭でない記載の釈明を目的とするものである。
（３）小括
　したがって、審判請求時の補正は、特許法第１７条の２第３項から第６項までの要件に違反しているものとはいえない。
第４　本願発明
　本願請求項１−２６に係る発明（以下、それぞれ「本願発明１」−「本願発明２６」という。）は、平成２８年８月２日付け手続補正で補正された特許請求の範囲の請求項１−２６に記載された事項により特定される発明であり、以下のとおりの発明である。
　なお、請求項５に係る発明（本願発明５）については、説明のために、Ａ〜Ｅの符号を当審において付与した。
　以下、「構成Ａ」、「構成Ｂ」などと称することとする。
「　【請求項１】
　コンピューティングデバイスによって実行され、移行アニメーションを与える方法であって、
　開始アプリケーション内でのオブジェクトの表現を表示するステップと、
　前記開始アプリケーションを経由して、前記オブジェクトの表現の表示についての情報と、前記開始アプリケーションとは異なる行先アプリケーションによって、前記オブジェクトを開くという要求についての情報を受け取るステップと、
　前記開始アプリケーションからの情報と前記行先アプリケーションからの情報に少なくとも基づいて、前記開始アプリケーションから前記行先アプリケーションへの移行アニメーションを調整するステップであって、前記調整された移行アニメーションは、前記開始アプリケーション内のオブジェクトの表現から前記行先アプリケーション内でのオブジェクトの表現へのモーフィングを含み、前記調整された移行アニメーションは、前記行先アプリケーションがウィンドウを開くことを視覚的に表すものであるステップと、
　前記コンピューティングデバイスのディスプレイデバイス上に前記調整された移行アニメーションを表示するステップと、
　を含む方法。
　　【請求項２】
　前記開始アプリケーションからの情報と前記行先アプリケーションからの情報に少なくとも基づいて、前記開始アプリケーションから前記行先アプリケーションへの移行アニメーションを調整するステップは、
　アニメーション調整構成要素によって、前記開始アプリケーションからの情報を受け取るステップと、
　前記アニメーション調整構成要素によって、前記行先アプリケーションからの情報を受け取るステップと、
　前記調整された移行アニメーションをレンダリングするステップと、
　を更に含む、請求項１に記載の方法。
　　【請求項３】
　前記調整された移行アニメーションは、前記開始アプリケーションから前記行先アプリケーションへのシフトを視覚的に表すものである、請求項１又は２に記載の方法。
　　【請求項４】
　前記開始アプリケーションからの情報は、前記オブジェクトのグラフィカル表現、前記オブジェクトの種類、及び／又は、前記オブジェクトの初期位置を含む、請求項１〜３のいずれか一項に記載の方法。
　　【請求項５】
　Ａ　コンピューティングデバイスによって実行され、移行アニメーションを与える方法であって、
　Ｂ　開始アプリケーションに関連する第一のコンテキストから、前記開始アプリケーションとは異なる行先アプリケーションに関連する第二のコンテキストへの移行の要求を、前記コンピューティングデバイスが受け取るステップと、
　Ｃ　前記コンピューティングデバイス上で実行されるアニメーション調整構成要素が、前記開始アプリケーションからの情報と前記行先アプリケーションからの情報に少なくとも基づいて、前記開始アプリケーションから前記行先アプリケーションへの移行アニメーションを調整するステップであって、前記調整された移行アニメーションは、前記開始アプリケーション内のオブジェクトの表現から開始し、前記行先アプリケーション内での前記オブジェクトの表現で終了するものであり、前記調整された移行アニメーションは、前記行先アプリケーションが前記オブジェクトを開くことを視覚的に表すものであるステップと、
　Ｄ　前記コンピューティングデバイスのディスプレイデバイス上に前記調整された移行アニメーションを表示するステップと、
　を含む
　Ｅ　方法。
　　【請求項６】
　前記コンピューティングデバイス上で実行されるアニメーション調整構成要素が、前記開始アプリケーションからの情報と前記行先アプリケーションからの情報に少なくとも基づいて、前記開始アプリケーションから前記行先アプリケーションへの移行アニメーションを調整するステップは、
　前記アニメーション調整構成要素によって、前記開始アプリケーションからの情報を受け取るステップと、
　前記アニメーション調整構成要素によって、前記行先アプリケーションからの情報を受け取るステップと、
　前記開始アプリケーションからの情報と前記行先アプリケーションからの情報に少なくとも基づいて、前記調整された移行アニメーションをレンダリングするステップと、
　を更に含む、請求項５に記載の方法。
　　【請求項７】
　前記第一のコンテキストから前記第二のコンテキストに移行するときに、前記移行アニメーションが表示される、請求項５又は６に記載の方法。
　　【請求項８】
　前記開始アプリケーションに関連する第一のコンテキストから、行先アプリケーションに関連する第二のコンテキストへの移行の要求が、前記行先アプリケーションによって前記オブジェクトを開く要求を含む、請求項５〜７のいずれか一項に記載の方法。
　　【請求項９】
　前記移行アニメーションに関連するアニメーション識別子を生成するステップと、
　前記開始アプリケーションと前記行先アプリケーションに対し前記アニメーション識別子を発行するステップと、
　前記開始アプリケーションからの情報と前記行先アプリケーションからの情報を前記アニメーション識別子と関連付けて保存するステップと、
　を更に含む請求項５〜８のいずれか一項に記載の方法。
　　【請求項１０】
　前記コンピューティングデバイスのディスプレイデバイス上に前記調整された移行アニメーションを表示するステップが、前記調整された移行アニメーションを前記ディスプレイデバイスの最上部の位置に表示する、請求項５〜９のいずれか一項に記載の方法。
　　【請求項１１】
　前記コンピューティングデバイスのディスプレイデバイス上に前記調整された移行アニメーションを表示するステップが、前記行先アプリケーションからの準備完了インジケーターを待ってから、前記調整された移行アニメーションの表示を開始する、請求項５〜１０のいずれか一項に記載の方法。
　　【請求項１２】
　前記行先アプリケーションからの準備完了インジケーターが、前記行先アプリケーションからの情報を含む、請求項１１に記載の方法。
　　【請求項１３】
　請求項１〜１２のいずれか一項に記載の方法を実行するためのプログラム。
　　【請求項１４】
　請求項１〜１２のいずれか一項に記載の方法を実行するためのプログラムを記録した記録媒体。
　　【請求項１５】
　その上で実行されるアプリケーション間の移行アニメーションを提供するコンピューティングデバイスであって、
　コンピュータ実行可能な命令を記憶するメモリと前記コンピュータ実行可能な命令を実行するプロセッサーを含み、前記コンピュータ実行可能な命令は、
　　開始アプリケーション内でのオブジェクトの表現を表示するステップと、
　　前記開始アプリケーションを経由して、前記オブジェクトの表現の表示についての情報と、前記開始アプリケーションとは異なる行先アプリケーションによって、前記オブジェクトを開くという要求についての情報を受け取るステップと、
　　前記開始アプリケーションからの情報と前記行先アプリケーションからの情報に少なくとも基づいて、前記開始アプリケーションから前記行先アプリケーションへの移行アニメーションを調整するステップであって、前記調整された移行アニメーションは、前記開始アプリケーション内のオブジェクトの表現から前記行先アプリケーション内でのオブジェクトの表現へのモーフィングを含み、前記調整された移行アニメーションは、前記行先アプリケーションがウィンドウを開くことを視覚的に表すものであるステップと、
　　前記コンピューティングデバイスのディスプレイデバイス上に前記調整された移行アニメーションを表示するステップと、
　を実行するコンピューティングデバイス。
　　【請求項１６】
　前記開始アプリケーションからの情報と前記行先アプリケーションからの情報に少なくとも基づいて、前記開始アプリケーションから前記行先アプリケーションへの移行アニメーションを調整するステップは、
　アニメーション調整構成要素によって、前記開始アプリケーションからの情報を受け取るステップと、
　前記アニメーション調整構成要素によって、前記行先アプリケーションからの情報を受け取るステップと、
　前記開始アプリケーションからの情報と前記行先アプリケーションからの情報に少なくとも基づいて、前記調整された移行アニメーションをレンダリングするステップと、
　を更に含む、請求項１５に記載のコンピューティングデバイス。
　　【請求項１７】
　前記調整された移行アニメーションは、前記開始アプリケーションから前記行先アプリケーションへのシフトを視覚的に表すものである、請求項１５又は１６に記載のコンピューティングデバイス。
　　【請求項１８】
　前記開始アプリケーションからの情報は、前記オブジェクトのグラフィカル表現、前記オブジェクトの種類、及び／又は、前記オブジェクトの初期位置を含む、請求項１５〜１７のいずれか一項に記載のコンピューティングデバイス。
　　【請求項１９】
　その上で実行されるアプリケーション間の移行アニメーションを提供するコンピューティングデバイスであって、
　コンピュータ実行可能な命令を記憶するメモリと前記コンピュータ実行可能な命令を実行するプロセッサーを含み、前記コンピュータ実行可能な命令は、
　　開始アプリケーションに関連する第一のコンテキストから、前記開始アプリケーションとは異なる行先アプリケーションに関連する第二のコンテキストへの移行の要求を受け取るステップと、
　　アニメーション調整構成要素が、前記開始アプリケーションからの情報と前記行先アプリケーションからの情報に少なくとも基づいて、前記開始アプリケーションから前記行先アプリケーションへの移行アニメーションを調整するステップであって、前記調整された移行アニメーションは、前記開始アプリケーション内のオブジェクトの表現から開始し、前記行先アプリケーション内での前記オブジェクトの表現で終了するものであり、前記調整された移行アニメーションは、前記行先アプリケーションが前記オブジェクトを開くことを視覚的に表すものであるステップと、
　　前記コンピューティングデバイスのディスプレイデバイス上に前記調整された移行アニメーションを表示するステップと、
　を実行するコンピューティングデバイス。
　　【請求項２０】
　前記コンピューティングデバイス上で実行されるアニメーション調整構成要素が、前記開始アプリケーションからの情報と前記行先アプリケーションからの情報に少なくとも基づいて、前記開始アプリケーションから前記行先アプリケーションへの移行アニメーションを調整するステップは、
　前記アニメーション調整構成要素によって、前記開始アプリケーションからの情報を受け取るステップと、
　前記アニメーション調整構成要素によって、前記行先アプリケーションからの情報を受け取るステップと、
　前記調整された移行アニメーションをレンダリングするステップと、
　を更に含む、請求項１９に記載のコンピューティングデバイス。
　　【請求項２１】
　前記第一のコンテキストから前記第二のコンテキストに移行するときに、前記移行アニメーションが表示される、請求項１９又は２０に記載のコンピューティングデバイス。
　　【請求項２２】
　前記開始アプリケーションに関連する第一のコンテキストから、行先アプリケーションに関連する第二のコンテキストへの移行の要求が、前記行先アプリケーションによって前記オブジェクトを開く要求を含む、請求項１９〜２１のいずれか一項に記載のコンピューティングデバイス。
　　【請求項２３】
　前記コンピュータ実行可能な命令は、
　　前記移行アニメーションに関連するアニメーション識別子を生成するステップと、
　　前記開始アプリケーションと前記行先アプリケーションに対し前記アニメーション識別子を発行するステップと、
　　前記開始アプリケーションからの情報と前記行先アプリケーションからの情報を前記アニメーション識別子と関連付けて保存するステップと、
　を更に実行する請求項１９〜２２のいずれか一項に記載のコンピューティングデバイス。
　　【請求項２４】
　前記コンピューティングデバイスのディスプレイデバイス上に前記調整された移行アニメーションを表示するステップが、前記調整された移行アニメーションを前記ディスプレイデバイスの最上部の位置に表示する、請求項１９〜２３のいずれか一項に記載のコンピューティングデバイス。
　　【請求項２５】
　前記コンピューティングデバイスのディスプレイデバイス上に前記調整された移行アニメーションを表示するステップが、前記行先アプリケーションからの準備完了インジケーターを待ってから、前記調整された移行アニメーションの表示を開始する、請求項１９〜２４のいずれか一項に記載のコンピューティングデバイス。
　　【請求項２６】
　前記行先アプリケーションからの準備完了インジケーターが、前記行先アプリケーションからの情報を含む、請求項２５に記載のコンピューティングデバイス。」
第５　引用文献、引用発明等
１．引用文献１について
　原査定の拒絶の理由に引用された上記引用文献１には、「表示画像制御装置及び方法」として、図面とともに次の事項が記載されている。
　なお、下線は、当審が付与したものである。
ア「【０００１】
　本発明は、
表示部に表示されているアプリケーションの特定状態に応じた表示画像を他の表示画像に切り替える表示画像制御装置及び方法
イ「【００１５】
　アニメーション効果記録部１３は、
一のアプリケーションの特定状態に応じた表示画像から他の表示画像に切り替えられる間に表示部１０に表示されるアニメーション効果
【００１６】
　ここで、アニメーション効果について説明する。例えば、アニメーション効果Ｏは、表示画面Ａから表示画面Ｂに表示画面を切り替える場合には、
直方体の側面に切り替え前後の表示画像が記述され、直方体の水平方向の回転により隣接する側面が登場する
直方体αの左側面に切り替えられる前の表示画像Ａが記述され、直方体αの右側面に切り替え対象の表示画像Ｂが記述される。
【００１７】
　また、アニメーション効果Ｐは、
切り替えられる前の表示画像Ａが割れたガラス状に表示部の下方向に落下して消失するように移動し、表示画像Ａが消失した背景から切り替え対象の表示画像Ｂが現れる
【００１８】
　また、アニメーション効果Ｑは、
切り替えられる前の表示画像Ａが表示部において、右方向に遠ざかるように縮小しながら移動し、表示画像Ａが縮小しながら移動した所定の場所から切り替え対象の表示画像Ｂが拡大しながら全面に迫ってくるように移動する
【００１９】
　さらに、アニメーション効果Ｒは、
切り替えられる前の表示画像Ａが徐々に透明になって消失するように移動し（フェードアウト）、表示画像Ａが消失してゆくと同時に、切り替え対象の表示画像Ｂが徐々に現れるように移動する（フェードイン）
ウ「【００２９】
　
アニメーション効果決定部２３は、抽出部２１から供給された切り替えられた後の表示画像と、取得部２２から供給された表示部１０に表示されている表示画像（切り替えられる前の表示画像）との組み合わせに基づき、上述したアニメーション効果決定テーブル１４を参照し、アニメーション効果を決定する。
エ「【００３１】
　アニメーション生成部２５は、抽出部２１から供給された切り替えられた後の表示画像と、取得部２２から供給された表示部１０に表示されている表示画像（切り替えられる前の表示画像）と、読出部２４から供給されたアニメーション効果に基づき所定のアニメーションを生成し、生成したアニメーションを表示制御部２６に供給する。ここで、アニメーション生成部２５により生成されるアニメーションについて図６から図９を用いて説明する。
【００３２】
　アニメーション生成部２５は、例えば、読出部２４から上述したアニメーション効果Ｏが供給されたとき、表示画面Ａから表示画面Ｂに表示画面を切り替える場合には、図６に示すように、
直方体αの側面に切り替え前後の表示画像が記述され、直方体αの水平方向の回転により隣接する側面が登場する
直方体αの左側面に切り替えられる前の表示画像Ａが記述され、直方体αの右側面に切り替え対象の表示画像Ｂが記述される。
【００３３】
　また、アニメーション生成部２５は、例えば、読出部２４から上述したアニメーション効果Ｐが供給されたとき、表示画面Ａから表示画面Ｂに表示画面を切り替える場合には、図７に示すように、
切り替えられる前の表示画像Ａが割れたガラス状に表示部の下方向に落下して消失するように移動し、表示画像Ａが消失した背景から切り替え対象の表示画像Ｂが現れる
【００３４】
　また、アニメーション生成部２５は、例えば、読出部２４から上述したアニメーション効果Ｑが供給されたとき、表示画面Ａから表示画面Ｂに表示画面を切り替える場合には、図８に示すように、
切り替えられる前の表示画像Ａが表示部において、右方向に遠ざかるように縮小しながら移動し、表示画像Ａが縮小しながら移動した所定の場所から切り替え対象の表示画像Ｂが拡大しながら全面に迫ってくるように移動する
【００３５】
　さらに、アニメーション生成部２５は、例えば、読出部２４から上述したアニメーション効果Ｒが供給されたとき、表示画面Ａから表示画面Ｂに表示画面を切り替える場合には、図９に示すように、
切り替えられる前の表示画像Ａが徐々に透明になって消失するように移動し（フェードアウト）、表示画像Ａが消失してゆくと同時に、切り替え対象の表示画像Ｂが徐々に現れるように移動する（フェードイン）
オ「【００４４】
　ここで、表示画像制御装置１の動作について図１０に示すフローチャートを用いて説明する。
【００４５】
　ステップＳＴ１において、ユーザは、表示部１０に表示されている表示画像を切り替える旨の操作を行う。
ユーザは、表示部１０に表示されている表示画像を所望する表示画像に切り替えるべく、表示画像切換部１１に備えられている所定のボタンを押圧する。
【００４６】
　ステップＳＴ２において、アプリケーションマネージャ１５は、表示画像切換部１１から供給される表示画像切替信号Ｓ１に基づきアプリケーション群１２から所定のアプリケーションを読み出す。
【００４７】
　ステップＳＴ３において、アプリケーションマネージャ１５は、表示画像切換部１１から供給される表示画像切替信号Ｓ１に基づき表示部１０に表示されている表示画像を非表示にする。
【００４８】
　ステップＳＴ４において、アプリケーションマネージャ１５は、アニメーション効果が設定されているかどうかを判断する。
アニメーション効果決定部２３は、抽出部２１から供給された切り替えられた後の表示画像と、取得部２２から供給された表示部１０に表示されている表示画像（切り替えられる前の表示画像）との組み合わせに基づき、アニメーション効果決定テーブル１４を参照し、アニメーション効果が設定されているかどうかを判断する。アニメーション効果が設定されている場合には、ステップＳＴ５に進み、
【００４９】
　
ステップＳＴ５において、アプリケーションマネージャ１５は、アニメーション効果決定テーブル１４にしたがって決定されたアニメーション効果をアニメーション効果記録部１３から読み出す。
【００５０】
　ステップＳＴ６において、アプリケーションマネージャ１５は、操作状態検出部１６から供給された信号Ｓ３に応じて、所定の変化信号Ｓ３を生成する。
【００５１】
　ステップＳＴ７において、
アプリケーションマネージャ１５は、生成したアニメーションを表示部１０に出力する。
【００５２】
　ステップＳＴ８において、アプリケーションマネージャ１５は、アニメーションの表示後、切り替えられた後の表示画像を表示部１０に表示する。」
カ「【００７４】
　また、本願発明では、上述した実施例以外にも、例えば、図１４のように
ユーザがクリックした点から、新しいアプリケーション画面が飛んでくる
ユーザがクリックした点を中心にアプリケーション画面に亀裂が走り、それらが崩れ去った後から新しいアプリケーションが登場する
　上記ア〜カの記載及び関連する図面、並びにこの分野における技術常識を考慮し、以下で検討する。
（ア）上記アの記載から、上記引用文献１には、表示部に表示されているアプリケーションの特定状態に応じた表示画像を他の表示画像に切り替える表示画像制御装置及び表示画像制御方法が記載されている。
　そして、表示画像制御方法は、表示画像制御装置にて実行されることは自明である。
　また、上記イの段落００１５の記載から、上記引用文献１の表示画像制御方法は、一のアプリケーションの特定状態に応じた表示画像から他の表示画像に切り替えられる間に表示部にアニメーション効果が表示されるものである。
　すなわち、上記引用文献１には、表示画像制御装置にて実行され、表示部に表示されているアプリケーションの特定状態に応じた表示画像を他の表示画像に切り替える間に表示部にアニメーション効果が表示される表示画像制御方法が記載されているといえる。
（イ）上記オの段落００４５の記載から、上記引用文献１の表示画像制御方法は、表示部に表示されている表示画像を所望する表示画像に切り替えるために、ユーザが所定のボタンを押圧するものである。
（ウ）上記ウ及び上記オの段落００４８、００４９の記載から、上記引用文献１の表示画像制御方法は、表示画像制御装置のアニメーション効果決定部が、切り替えられた後の表示画像と、表示部に表示されている表示画像（切り替えられる前の表示画像）との組み合わせに基づき、アニメーション効果決定テーブルを参照し、アニメーション効果を決定するものである。
　また、上記（ア）で検討したように、表示画像は、アプリケーションの特定状態に応じたものといえる。
　すなわち、上記引用文献１の表示画像制御方法は、表示画像制御装置のアニメーション効果決定部が、切り替えられる前のアプリケーションの特定状態に応じた表示画像と、切り替えられた後のアプリケーションの特定状態に応じた表示画像に基づき、アニメーション効果を決定するものである。
（エ）上記イの段落００１５及び上記オの段落００５１の記載から、上記引用文献１の表示画像制御装置の表示部に決定されたアニメーション効果が表示されるものである。
　よって、上記引用文献１には、以下の発明（以下、「引用発明」という。）が記載されている。
　なお、説明のために、ａ〜ｅの符号を当審において付与した。
　以下、「構成ａ」、「構成ｂ」などと称することとする。
「ａ　表示画像制御装置にて実行され、表示部に表示されているアプリケーションの特定状態に応じた表示画像を他の表示画像に切り替える間に表示部にアニメーション効果が表示される表示画像制御方法であって、
　ｂ　表示部に表示されている表示画像を所望する表示画像に切り替えるために、ユーザが所定のボタンを押圧し、
　ｃ　表示画像制御装置のアニメーション効果決定部が、切り替えられる前のアプリケーションの特定状態に応じた表示画像と、切り替えられた後のアプリケーションの特定状態に応じた表示画像に基づいて、アニメーション効果を決定するものであり、
　ｄ　表示画像制御装置の表示部に決定されたアニメーション効果が表示される
　ｅ　方法。」
２．引用文献２について
　原査定の拒絶の理由に引用された上記引用文献２の２１頁には、フレームレートが１秒間に表示するアニメーションフレーム数であることが記載されている。
３．引用文献３−４について
　原査定の拒絶の理由に引用された上記引用文献３の段落００５０の記載からみて、当該引用文献３には、特定のアプリケーションのウィンドウを最前面に表示させる技術が記載されている。
　原査定の拒絶の理由に引用された上記引用文献４の段落００７３の記載からみて、当該引用文献４には、アプリケーションを画面の最前面に移動させる技術が記載されている。
４．引用文献５−６について
　原査定の拒絶の理由に引用された上記引用文献５の段落００５０の記載からみて、当該引用文献５には、リンク情報をクリックすると、ウェブブラウザが自動的に起動し、ウェブコンテンツを表示する技術が記載されている。
　原査定の拒絶の理由に引用された上記引用文献６の段落０００３の記載からみて、当該引用文献３には、ウェブコンテンツ内の電話番号をクリックすると、通話ウィンドウが開く技術が記載されている。
５．引用文献７−８について
　原査定の拒絶の理由に引用された上記引用文献７の２頁６行〜３１行、５頁１５行〜２４行の記載からみて、当該引用文献７には、第１のビデオコンテンツから第２のビデオコンテンツへの切り換えに際し、多面体が回転するようにかつモーフィングする技術が記載されている。
　原査定の拒絶の理由に引用された上記引用文献８の段落００８３の記載からみて、当該引用文献８には、以前に表示された版から現在表示される版へモーフィングにより移行する技術が記載されている。
第６　対比・判断
１．本願発明５について
（１）対比
　本願発明５と引用発明を対比する。
ア　本願発明５の構成Ａと引用発明の構成ａについて
　構成ａにおいて、「表示画像制御装置」は、表示画像制御のための処理を行う装置であるといえ、構成Ａの「コンピューティングデバイス」に相当する。
　構成ａにおいて、「表示部に表示されているアプリケーションの特定状態に応じた表示画像を他の表示画像に切り替える間に表示部にアニメーション効果が表示されるアニメーション効果が表示される」ということは、一の表示画像から他の表示画像に移るためのアニメーションが表示されるものであり、構成Ａの「移行アニメーションを与える」ことに相当する。
　したがって、構成ａは、構成Ａに相当する。
イ　本願発明５の構成Ｂと引用発明の構成ｂについて
　構成ｂの「表示部に表示されている表示画像」は、構成ｃより、「切り替えられる前のアプリケーションの特定状態に応じた表示画像」であり、構成ｂの「所望する表示画像」は、構成ｃより、「切り替えられた後のアプリケーションの特定状態に応じた表示画像」である。
　ここで、それぞれの表示画像を区別するために『第一の表示画像』、『第二の表示画像』と称することとする。
　また、構成ｂの「ユーザが所定のボタンを押圧」することは、「表示部に表示されている表示画像を所望する表示画像に切り替える」ことを要求するものといえ、当該要求を、表示画像制御装置が受信することは自明である。
　そうすると、構成ｂは、『切り替えられる前のアプリケーションの特定状態に応じた第一の表示画像から、切り替えられた後のアプリケーションの特定状態に応じた第二の表示画像に切り替える要求を、表示画像制御装置が受信する』ことといえる。
　ここで、引用発明の『切り替えられる前のアプリケーション』、『切り替えられた後のアプリケーション』は、それぞれ、構成Ｂの「開始アプリケーション」、「前記開始アプリケーションとは異なる行先アプリケーション」に相当する。
　そして、引用発明の『第一の表示画像』、『第二の表示画像』は、ともに、『アプリケーションの特定状態に応じた』ものであるので、アプリケーションに関連するものといえ、それぞれ、構成Ｂの「アプリケーションに関連する第一のコンテキスト」、「アプリケーションに関連する第二のコンテキスト」に相当する。
　したがって、引用発明の『切り替えられる前のアプリケーションの特定状態に応じた第一の表示画像』、『切り替えられた後のアプリケーションの特定状態に応じた第二の表示画像』は、それぞれ、構成Ｂの「開始アプリケーションに関連する第一のコンテキスト」、「前記開始アプリケーションとは異なる行先アプリケーションに関連する第二のコンテキスト」に相当する。
　また、上記アと同様に、『表示画像制御装置』は、構成Ｂの「コンピューティングデバイス」に相当する。
　したがって、構成ｂは、構成Ｂに相当する。
ウ　本願発明５の構成Ｃと引用発明の構成ｃについて
　上記アと同様に、構成ｃの「表示画像制御装置」は、構成Ｃの「コンピューティングデバイス」に相当する。
　構成ｃの「アニメーション効果決定部」は、どのアニメーションにするかを調整する部位であることから、構成Ｃの「アニメーション調整構成要素」に相当する。
　上記イの検討を援用するに、構成ｃの「切り替えられる前のアプリケーション」、「切り替えられた後のアプリケーション」は、それぞれ、構成Ｃの「開始アプリケーション」、「行先アプリケーション」に相当する。
　また、構成ｃの「アニメーション効果を決定する」ことは、切り替えられる前のアプリケーションから切り替えられた後のアプリケーションへに移るためのアニメーションをどのアニメーションにするかを調整することであるから、構成Ｃの「前記開始アプリケーションから前記行先アプリケーションへの移行アニメーションを調整する」ことに相当する。
　
　したがって、構成ｃと構成Ｃは、「前記コンピューティングデバイス上で実行されるアニメーション調整構成要素が、前記開始アプリケーションから前記行先アプリケーションへの移行アニメーションを調整する」点で共通する。
　しかし、移行アニメーションを調整することに関して、構成ｃは、「切り替えられる前のアプリケーションの特定状態に応じた表示画像と、切り替えられた後のアプリケーションの特定状態に応じた表示画像」すなわち、切り替え前後の表示画像に基づいて調整しているだけであり、構成Ｃのように、「前記開始アプリケーションからの情報と前記行先アプリケーションからの情報」に基づいて調整するものではない点で相違する。
　また、調整された移行アニメーションに関して、構成ｃは、構成Ｃのように、「前記開始アプリケーション内のオブジェクトの表現から開始し、前記行先アプリケーション内での前記オブジェクトの表現で終了するもの」でない点、「前記行先アプリケーションが前記オブジェクトを開くことを視覚的に表すもの」でない点で相違する。
　
エ　本願発明５の構成Ｄと引用発明の構成ｄについて
　構成ｄの「表示画像制御装置の表示部」は、構成Ｄの「前記コンピューティングデバイスのディスプレイデバイス上」に相当する。
　また、上記ウで検討したように、構成ｃの「アニメーション効果を決定する」ことは、構成Ｃの「移行アニメーションを調整する」ことに相当し、構成ｄの「決定されたアニメーション効果」は、構成ｃで決定されたアニメーション効果であるから、構成Ｄの「前記調整された移行アニメーション」に相当する。
　
　したがって、構成ｄは、構成Ｄに相当する。
オ　本願発明５の構成Ｅと引用発明の構成ｅについて
　構成ｅは、構成Ｅに相当する。
カ　一致点・相違点
　したがって、本願発明５と引用発明との間には、以下の点で一致ないし相違する。
（一致点）
「コンピューティングデバイスによって実行され、移行アニメーションを与える方法であって、
　開始アプリケーションに関連する第一のコンテキストから、前記開始アプリケーションとは異なる行先アプリケーションに関連する第二のコンテキストへの移行の要求を、前記コンピューティングデバイスが受け取るステップと、
　前記コンピューティングデバイス上で実行されるアニメーション調整構成要素が、前記開始アプリケーションから前記行先アプリケーションへの移行アニメーションを調整するステップと、
　前記コンピューティングデバイスのディスプレイデバイス上に前記調整された移行アニメーションを表示するステップと、
　を含む方法。」
（相違点）
＜相違点１＞
　移行アニメーションを調整することに関して、本願発明５は、「前記開始アプリケーションからの情報と前記行先アプリケーションからの情報に少なくとも基づいて」調整するのに対し、引用発明は、そのような情報に基づいて調整をするものではない点。
＜相違点２＞
　調整された移行アニメーションに関して、本願発明５は、「前記開始アプリケーション内のオブジェクトの表現から開始し、前記行先アプリケーション内での前記オブジェクトの表現で終了するもの」であるのに対し、引用発明は、そのようなものでない点。
＜相違点３＞
　調整された移行アニメーションに関して、本願発明５は、「前記行先アプリケーションが前記オブジェクトを開くことを視覚的に表すもの」であるのに対し、引用発明は、そのようなものでない点。
（２）相違点についての判断
　上記相違点２について検討する。
　上記第５　１．イの段落００１６〜００１９、エの段落００３２〜００３５、キの記載からみて、引用文献１には、アニメーション効果として、以下の６種類のアニメーション効果が例示されている。
ａ　直方体の左側面に切り替えられる前の表示画像Ａが記述され、直方体αの右側面に切り替え対象の表示画像Ｂが記述され、直方体の水平方向の回転により隣接する側面が登場する。
ｂ　切り替えられる前の表示画像Ａが割れたガラス状に表示部の下方向に落下して消失するように移動し、表示画像Ａが消失した背景から切り替え対象の表示画像Ｂが現れる。
ｃ　切り替えられる前の表示画像Ａが表示部において、右方向に遠ざかるように縮小しながら移動し、表示画像Ａが縮小しながら移動した所定の場所から切り替え対象の表示画像Ｂが拡大しながら全面に迫ってくるように移動する。
ｄ　切り替えられる前の表示画像Ａが徐々に透明になって消失するように移動し（フェードアウト）、表示画像Ａが消失してゆくと同時に、切り替え対象の表示画像Ｂが徐々に現れるように移動する（フェードイン）。
ｅ　ユーザがクリックした点から、新しいアプリケーション画面が飛んでくる。
ｆ　ユーザがクリックした点を中心にアプリケーション画面に亀裂が走り、それらが崩れ去った後から新しいアプリケーションが登場する。
　しかし、例示された６種類のアニメーション効果のいずれをみても、表示画像全体が別の表示画像に切り替わるようなアニメーション効果であり、アプリケーション内のオブジェクトの表現から開始し、別のアプリケーション内のオブジェクトの表現で終了するアニメーション効果であるといえない。
　また、第５　２．〜５．に提示した他の引用文献をみても、当該相違点２に係る構成を有するものでない。
　したがって、上記相違点１、３について判断するまでもなく、本願発明５は、当業者であっても、引用発明及び引用文献２〜８に記載された技術的事項に基づいて容易に発明できたものとはいえない。
２．本願発明６〜１４について
　本願発明６〜１４も、本願発明５の「前記開始アプリケーション内のオブジェクトの表現から開始し、前記行先アプリケーション内での前記オブジェクトの表現で終了するもの」と同一の構成を備えるものであるから、本願発明５と同じ理由により、当業者であっても、引用発明及び引用文献２〜８に記載された技術的事項に基づいて容易に発明できたものとは認められない。
３．本願発明１〜４について
　本願発明１は、本願発明５の「前記開始アプリケーション内のオブジェクトの表現から開始し、前記行先アプリケーション内での前記オブジェクトの表現で終了するもの」に対応する「前記開始アプリケーション内のオブジェクトの表現から前記行先アプリケーション内でのオブジェクトの表現へのモーフィング」という構成を備えるものである。
　また、本願発明２〜４も、本願発明１の「前記開始アプリケーション内のオブジェクトの表現から前記行先アプリケーション内でのオブジェクトの表現へのモーフィング」と同一の構成を備えるものである。
　したがって、本願発明１〜４は、本願発明５と同じ理由により、当業者であっても、引用発明及び引用文献２〜８に記載された技術的事項に基づいて容易に発明できたものとは認められない。
４．本願発明１５〜１８について
　本願発明１５は、本願発明５の「前記開始アプリケーション内のオブジェクトの表現から開始し、前記行先アプリケーション内での前記オブジェクトの表現で終了するもの」に対応する「前記開始アプリケーション内のオブジェクトの表現から前記行先アプリケーション内でのオブジェクトの表現へのモーフィング」という構成を備えるものである。
　また、本願発明１６〜１８も、本願発明１５の「前記開始アプリケーション内のオブジェクトの表現から前記行先アプリケーション内でのオブジェクトの表現へのモーフィング」と同一の構成を備えるものである。
　したがって、本願発明１５〜１８は、本願発明５と同じ理由により、当業者であっても、引用発明及び引用文献２〜８に記載された技術的事項に基づいて容易に発明できたものとは認められない。
５．本願発明１９〜２６について
　本願発明１９は、本願発明５の「前記開始アプリケーション内のオブジェクトの表現から開始し、前記行先アプリケーション内での前記オブジェクトの表現で終了するもの」に対応する構成を備えるものである。
　また、本願発明２０〜２６も、本願発明１９の「前記開始アプリケーション内のオブジェクトの表現から開始し、前記行先アプリケーション内での前記オブジェクトの表現で終了するもの」と同一の構成を備えるものである。
　したがって、本願発明１９〜２６は、本願発明５と同じ理由により、当業者であっても、引用発明及び引用文献２〜８に記載された技術的事項に基づいて容易に発明できたものとは認められない。
第７　むすび
　以上のとおり、本願の請求項１〜２６に係る発明は、引用発明及び引用文献２〜８に記載された技術的事項に基づいて当業者が容易に発明をすることができたものとは認められない。したがって、原査定の理由によっては、本願を拒絶することはできない。
　また、他に本願を拒絶すべき理由を発見しない。
　よって、結論のとおり審決する。